(57)【要約】【課題】  ４端子のコンデンサを備えるノイズフィルタにおいて、端子のレイアウトを、比較的大型のコンデンサに適合していた場合のものに維持したまま、コンデンサの小型化に対応できるようにする。【解決手段】  コンデンサ２２の端面２３，２４間の寸法が、ホット側入力端子２８およびホット側出力端子２９の各々とアース側入力端子３２およびアース側出力端子３３の各々との間の間隔より短い場合であっても、ホット側リード線２７およびアース側リード線３１の各々の中間部３０，３４に湾曲部を形成し、コンデンサ２２の端面２３，２４の各々に近づけるように曲げた形状を与える。【選択図】  図１
2005175880.tif 000002
【特許請求の範囲】
【請求項１】
互いに平行に延びかつ相対向する第１および第２の端面上に、それぞれ、第１および第２の端子電極が設けられた、チップ状のコンデンサと、
互いに平行に延びる第１および第２の脚部ならびに前記第１および第２の脚部の各一方端間を連結する中間部を形成するように全体としてＵ字状にそれぞれ曲げられた、ホット側リード線およびアース側リード線と
を備え、
前記ホット側リード線は、前記第１および第２の脚部が前記第１および第２の端面に平行な方向に延びた状態で、前記中間部において前記第１の端子電極に接続され、かつ、前記第１および第２の脚部において、それぞれ、ホット側入力端子およびホット側出力端子を構成し、
前記アース側リード線は、前記第１および第２の脚部が前記第１および第２の端面に平行な方向に延びた状態で、前記中間部において前記第２の端子電極に接続され、かつ、前記第１および第２の脚部において、それぞれ、アース側入力端子およびアース側出力端子を構成し、
前記第１および第２の端面間の寸法は、前記ホット側入力端子および前記ホット側出力端子の各々と前記アース側入力端子および前記アース側出力端子の各々との間の間隔より短く、
前記ホット側リード線および前記アース側リード線の各々の前記中間部は、前記第１および第２の端面の各々に近づくように曲げられた形状を有している、
ノイズフィルタ。
【請求項２】
前記ホット側リード線および前記アース側リード線の各々の前記中間部は、湾曲部を有している、請求項１に記載のノイズフィルタ。
【請求項３】
前記ホット側リード線および前記アース側リード線の各々の前記中間部は、螺旋状に延びる部分を有している、請求項１に記載のノイズフィルタ。
【請求項４】
前記ホット側リード線および前記アース側リード線の各々の前記中間部は、ミアンダ構造部分を有している、請求項１に記載のノイズフィルタ。
【請求項５】
少なくとも前記アース側入力端子に関連して設けられるフェライトビーズをさらに備える、請求項１ないし４のいずれかに記載のノイズフィルタ。
【請求項６】
少なくとも前記ホット側出力端子に関連して設けられる貫通コンデンサをさらに備える、請求項１ないし５のいずれかに記載のノイズフィルタ。
【発明の詳細な説明】
【技術分野】
【０００１】
この発明は、ノイズフィルタに関するもので、特に、４端子のコンデンサを備えるノイズフィルタに関するものである。
【背景技術】
【０００２】
この発明にとって興味ある従来のノイズフィルタとして、図６に示すようなものがある（たとえば、特許文献１、２および３参照）。図６において、（ａ）は、ノイズフィルタ１の上面図であり、（ｂ）は、同じく右側面図である。
【０００３】
図６を参照して、ノイズフィルタ１は、４端子のコンデンサ２を備えている。コンデンサ２は、チップ状をなすもので、互いに平行に延びかつ相対向する第１および第２の端面３および４上には、それぞれ、第１および第２の端子電極５および６が設けられている。
【０００４】
また、ノイズフィルタ１は、図６（ｂ）によく示されているように、互いに平行に延びる第１および第２の脚部７および８ならびに第１および第２の脚部７および８の各一方端間を連結する中間部９を形成するように全体としてＵ字状に曲げられた、ホット側リード線１０を備えている。
【０００５】
ホット側リード線１０は、第１および第２の脚部７および８がコンデンサ２の第１および第２の端面３および４に平行な方向に延びた状態で、中間部９において第１の端子電極５に接続される。また、ホット側リード線１０は、第１および第２の脚部７および８において、それぞれ、電源側に接続されるホット側入力端子および負荷回路側に接続されるホット側出力端子を構成する。
【０００６】
以下の説明において、参照符号「７」は、「第１の脚部」に対してだけでなく、「ホット側入力端子」に対しても用いることにし、参照符号「８」は、「第２の脚部」に対してだけでなく、「ホット側出力端子」に対しても用いることにする。
【０００７】
ノイズフィルタ１は、また、互いに平行に延びる第１および第２の脚部１１および１２ならびに第１および第２の脚部１１および１２の各一方端間を連結する中間部１３を形成するように全体としてＵ字状に曲げられた、アース側リード線１４を備えている。なお、アース側リード線１４の脚部１１および１２については、図６において、明瞭に図示されていない。
【０００８】
アース側リード線１４は、第１および第２の脚部１１および１２がコンデンサ２の第１および第２の端面３および４に平行な方向に延びた状態、すなわち、ホット側リード線１０における第１および第２の脚部７および８に平行な方向に延びた状態で、中間部１３において第２の端子電極６に接続される。また、アース側リード線１４は、その第１および第２の脚部１１および１２において、それぞれ、電源側に接続されるアース側入力端子および負荷回路側に接続されるアース側出力端子を構成する。
【０００９】
以下の説明において、参照符号「１１」は、「第１の脚部」に対してだけでなく、「アース側入力端子」に対しても用いることにし、参照符号「１２」は、「第２の脚部」に対してだけでなく、「アース側出力端子」に対しても用いることにする。
【特許文献１】実公平１−２２２５８号公報
【特許文献２】実公平２−１８５８７号公報
【特許文献３】実公平６−３１７７７号公報
【発明の開示】
【発明が解決しようとする課題】
【００１０】
図６に示したノイズフィルタ１において、ホット側入力端子７とホット側出力端子８との間隔については、ホット側リード線１０を曲げ加工する際の設計によって決まり、また、アース側入力端子１１とアース側出力端子１２との間隔は、アース側リード線１４を曲げ加工する際の設計によって決まるが、ホット側入力端子７とアース側入力端子１１との間隔またはホット側出力端子８とアース側出力端子１２との間隔、すなわち、ホット側リード線１０とアース側リード線１４とのリード線間ピッチＰは、コンデンサ２の第１および第２の端面３および４間の寸法によって支配される。
【００１１】
ところで、コンデンサ２として用いられる積層セラミックコンデンサにあっては、その性能の向上により、小型化が進んでいる。その結果、コンデンサ２の性能が同じであるにも関わらず、第１および第２の端面３および４間の寸法が、従来のものより小さくすることが可能となってきている。コンデンサ２の小型化は、これを用いて構成されるノイズフィルタ１の小型化を可能とする点で好ましい。
【００１２】
他方、ノイズフィルタ１の需要者側にあっては、リード線間ピッチＰの変更を望まないことがある。そのため、ノイズフィルタ１の製造業者にあっては、コンデンサ２において小型化が可能であるにも関わらず、リード線間ピッチＰを従来のままの大きさに維持するため、あえて小型化されないコンデンサ２を用いなければならない。
【００１３】
なお、コンデンサ２が小型化されない場合、ノイズフィルタ１の小型化が阻害されるばかりでなく、コンデンサ２自身が与える残留インダクタンスが大きくなり、挿入損失特性が悪くなるという問題をも引き起こす。
【００１４】
そこで、この発明の目的は、リード線間ピッチを維持しながらも、コンデンサの小型化を可能とする構造を有する、ノイズフィルタを提供しようとすることである。
【課題を解決するための手段】
【００１５】
この発明に係るノイズフィルタは、互いに平行に延びかつ相対向する第１および第２の端面上に、それぞれ、第１および第２の端子電極が設けられた、チップ状のコンデンサと、互いに平行に延びる第１および第２の脚部ならびに第１および第２の脚部の各一方端間を連結する中間部を形成するように全体としてＵ字状にそれぞれ曲げられた、ホット側リード線およびアース側リード線とを備えている。
【００１６】
また、ホット側リード線は、第１および第２の脚部が第１および第２の端面に平行な方向に延びた状態で、中間部において第１の端子電極に接続され、かつ、第１および第２の脚部において、それぞれ、ホット側入力端子およびホット側出力端子を構成する。
【００１７】
他方、アース側リード線は、第１および第２の脚部が第１および第２の端面に平行な方向に延びた状態で、中間部において第２の端子電極に接続され、かつ、第１および第２の脚部において、それぞれ、アース側入力端子およびアース側出力端子を構成する。
【００１８】
このようなノイズフィルタにおいて、この発明では、第１および第２の端面間の寸法が、ホット側入力端子およびホット側出力端子の各々とアース側入力端子およびアース側出力端子の各々との間の間隔より短くされながらも、ホット側リード線およびアース側リード線の各々の中間部は、第１および第２の端面の各々に近づくように曲げられた形状を有していることを特徴としている。
【００１９】
この発明において、ホット側リード線およびアース側リード線の各々の中間部は、上述したように、曲げられた形状を有しているが、この場合において、中間部は、単に湾曲部を有していても、あるいは、螺旋状に延びる部分を有していても、さらには、ミアンダ構造部分を有していてもよい。
【００２０】
この発明において、少なくともアース側入力端子に関連して、フェライトビーズが設けられることが好ましい。
【００２１】
また、少なくともホット側出力端子に関連して、貫通コンデンサが設けられることが好ましい。
【発明の効果】
【００２２】
この発明によれば、ホット側リード線およびアース側リード線の各々の中間部が、コンデンサの第１および第２の端面の各々に近づくように曲げられた形状を有しているので、コンデンサの第１および第２の端面間の寸法が、ホット側入力端子およびホット側出力端子の各々とアース側入力端子およびアース側出力端子の各々との間の間隔より短くても、余計な部材を使用することなく、たとえば半田付けによって、ホット側リード線およびアース側リード線の各々の中間部を、それぞれ、コンデンサの第１および第２の端子電極に接続することができる。
【００２３】
したがって、ホット側入力端子、ホット側出力端子、アース側入力端子およびアース側出力端子のレイアウトを、比較的大きいコンデンサを用いていた場合と同様に維持しながら、小型化されたコンデンサを用いることができる。その結果、コンデンサが与える残留インダクタンスを小さくすることができ、挿入損失特性を向上させることができる。
【００２４】
また、ホット側リード線およびアース側リード線の各々の中間部は、コンデンサの第１および第２の端面上において、第１および第２の端子電極に接続される、といった構成については、図６を参照して説明した従来のものと同様にすることができるので、従来のものと同様、ノイズフィルタ全体としての低背化を図ることができる。
【００２５】
また、ホット側リード線およびアース側リード線の各々の中間部が曲げられた形状を有しているので、これらホット側リード線およびアース側リード線の各々が与える導体の長さを長くすることができる。その結果、ノイズフィルタにおけるインダクタンスを向上させることができる。
【００２６】
上述のインダクタンス向上の効果に関して、ホット側リード線およびアース側リード線の各々の中間部が、螺旋状に延びる部分を有していたり、ミアンダ構造部分を有していたりすると、この効果をより確実に奏することができる。
【００２７】
また、フェライトビーズが少なくともアース側入力端子に関連して設けられていると、この部分でのインダクタンスを向上させることができ、ノイズ除去効果を高めることができる。
【００２８】
また、貫通コンデンサが少なくともホット側出力端子に関連して設けられていると、ノイズ除去効果を高めることができる。
【発明を実施するための最良の形態】
【００２９】
図１ないし図３は、この発明の第１の実施形態によるノイズフィルタ２１を説明するためのものである。ここで、図１は、ノイズフィルタ２１の外観を示すもので、（ａ）は上面図、（ｂ）は正面図、（ｃ）は右側面図である。図２は、ノイズフィルタ２１の内部構造を示す断面図であり、（ａ）は図１（ａ）の線Ａ−Ａに沿う断面図、（ｂ）は図１（ａ）の線Ｂ−Ｂに沿う断面図、（ｃ）は図１（ａ）の線Ｃ−Ｃに沿う断面図、（ｄ）は図１（ａ）の線Ｄ−Ｄに沿う断面図である。図３は、ノイズフィルタ２１が与える等価回路図である。
【００３０】
図示したノイズフィルタ２１は、より具体的には、ＥＭＩ除去フィルタとして機能するＬＣ複合部品である。
【００３１】
ノイズフィルタ２１は、４端子のコンデンサとしてのチップ状のコンデンサ２２を備えている。コンデンサ２２は、たとえば積層セラミックコンデンサから構成される。コンデンサ２２の互いに平行に延びかつ相対向する第１および第２の端面２３および２４上には、それぞれ、第１および第２の端子電極２５および２６が設けられている。
【００３２】
また、ノイズフィルタ２１は、ホット側リード線２７およびアース側リード線３１を備えている。
【００３３】
ホット側リード線２７は、図２（ｃ）によく示されているように、互いに平行に延びる第１および第２の脚部２８および２９ならびに第１および第２の脚部２８および２９の各一方端間を連結する中間部３０を形成するように全体としてＵ字状に曲げられている。
【００３４】
他方、アース側リード線３１は、図２（ｄ）によく示されているように、互いに平行に延びる第１および第２の脚部３２および３３ならびに第１および第２の脚部３２および３３の各一方端間を連結する中間部３４を形成するように全体としてＵ字状に曲げられている。
【００３５】
ホット側リード線２７は、第１および第２の脚部２８および２９がコンデンサ２２の第１および第２の端面２３および２４に平行な方向に延びた状態で、中間部３０において第１の端子電極２５に半田付けによって接続されている。また、ホット側リード線２７は、第１および第２の脚部２８および２９において、それぞれ、電源側に接続されるホット側入力端子および負荷回路側に接続されるホット側出力端子を構成する。
【００３６】
以下の説明において、参照符号「２８」は、「第１の脚部」に対してだけでなく、「ホット側入力端子」に対しても用いることにする。また、参照符号「２９」は、「第２の脚部」に対してだけでなく、「ホット側出力端子」に対しても用いることにする。
【００３７】
他方、アース側リード線３１は、第１および第２の脚部３２および３３がコンデンサ２２の第１および第２の端面２３および２４に平行な方向に延びた状態、すなわち、ホット側リード線２７における第１および第２の脚部２８および２９に平行な方向に延びた状態で、中間部３４において第２の端子電極２６に半田付けによって接続されている。また、アース側リード線３１は、第１および第２の脚部３２および３３において、それぞれ、電源側に接続されるホット側入力端子および負荷回路側に接続されるホット側出力端子を構成する。
【００３８】
以下の説明において、参照符号「３２」は、「第１の脚部」に対してだけでなく、「アース側入力端子」に対しても用いることにする。また、参照符号「３３」は、「第２の脚部」に対してだけでなく、「アース側出力端子」に対しても用いることにする。
【００３９】
ホット側リード線２７の第１および第２の脚部２８および２９には、それぞれ、図１および図２（ｃ）によく示されているように、脚部２８および２９を受け入れた状態で筒状のフェライトビーズ３５および３６が設けられている。
【００４０】
また、図１および図２（ｄ）によく示されているように、アース側リード線３１の第１の脚部３２には、これを受け入れた状態で筒状のフェライトビーズ３７が設けられている。
【００４１】
上述したフェライトビーズ３５〜３７のうち、特に、アース側リード線３１の第１の脚部すなわちアース側入力端子３２に設けられるフェライトビーズ３７が最も重要である。以下、ホット側リード線２７のホット側入力端子２８に設けられるフェライトビーズ３５、ホット側リード線２７のホット側出力端子２９に設けられるフェライトビーズ３６の順に重要である。なお、図示しないが、アース側リード線３１のアース側出力端子３３にも、フェライトビーズが設けられてもよい。
【００４２】
また、図２（ｂ）および（ｃ）によく示されているように、ホット側リード線２７の第２の脚部２９には、これを受け入れた状態で貫通コンデンサ３８が設けられている。貫通コンデンサ３８の内周電極は、ホット側リード線２７の第２の脚部２９に半田付けによって接続される。
【００４３】
貫通コンデンサ３８については、この実施形態のように、少なくともホット側リード線２７の第２の脚部すなわちホット側出力端子２９に関連して設けられることが最も重要である。なお、図示しないが、さらに、ホット側リード線２７の第１の脚部すなわちホット側入力端子２８に関連して、貫通コンデンサが設けられてもよい。
【００４４】
ノイズフィルタ２１は、また、導体からなるグラウンドプレート３９を備えている。グラウンドプレート３９は、リード線２７および３１の各々の脚部２８、２９、３２および３３に対して直交する方向に延びている。
【００４５】
前述した貫通コンデンサ３８の外周電極は、図２（ｂ）および（ｃ）によく示されているように、グラウンドプレート３９に半田付けされて接続されている。
【００４６】
また、グラウンドプレート３９には、図２（ｂ）および（ｄ）によく示されているように、アース側リード線３１の第２の脚部３３が半田付けされて接続されている。
【００４７】
他方、図２（ｃ）および（ｄ）によく示されているように、ホット側リード線２７の第１の脚部２８およびアース側リード線３１の第１の脚部３２は、グラウンドプレート３９に対して電気的に絶縁されている。
【００４８】
グラウンドプレート３９には、導体からなるシールドプレート４０が直交する状態で取り付けられている。シールドプレート４０は、図２（ｃ）および（ｄ）によく示されているように、ホット側リード線２７の第１の脚部すなわち入力端子２８と第２の脚部すなわち出力端子２９との間、ならびにアース側リード線３１の第１の脚部すなわち入力端子３２と第２の脚部すなわち出力端子３３との間に位置している。
【００４９】
シールドプレート４０には、２個のアース端子４１および４２が一体的に形成されている。アース端子４１および４２は、ホット側入力端子２８、ホット側出力端子２９、アース側入力端子３２およびアース側出力端子３３よりも下方へより突出した状態となっている。
【００５０】
ノイズフィルタ２１は、さらに、以上説明したコンデンサ２２、ホット側リード線２７、アース側リード線３１、フェライトビーズ３５〜３７、貫通コンデンサ３８、グラウンドプレート３９ならびにシールドプレート４０を互いに固定するようにモールドされた絶縁性樹脂からなる樹脂体４３を備えている。
【００５１】
以上のような構成を有するノイズフィルタ２１は、図３に示すような等価回路を実現する。図３において、図１および図２において用いた参照符号を対応の要素に付すことによって、図３に示した要素と図１および図２に示した要素との対応関係が明らかにされている。
【００５２】
このようなノイズフィルタ２１において、この発明の特徴的構成が、特に図１によく示されている。すなわち、ホット側リード線２７の中間部３０およびアース側リード線３１の中間部３４は、ともに、コンデンサ２２の第１および第２の端面２３および２４の各々に近づくように曲げられた形状を有している。この実施形態では、中間部３０および３１は、湾曲部を有している。
【００５３】
上述のような形状が中間部３０および３４に与えられることによって、たとえば図２（ｂ）から容易に理解できるように、コンデンサ２２の第１および第２の端面２３および２４間の寸法が、ホット側入力端子２８およびホット側出力端子２９の各々とアース側入力端子３２およびアース側出力端子３３の各々との間の間隔より短くても、余計な部材を用いることなく、半田付け等によって、ホット側リード線２７の中間部３０をコンデンサ２２の第１の端子電極２５に接続することができ、また、アース側リード線３１の中間部３４を第２の端子電極２６に接続することができる。
【００５４】
このようなことから、端子２８、２９、３２および３３のレイアウトを、コンデンサが大きかった場合と同様に維持したまま、コンデンサ２２の小型化に対応することができる。また、中間部３０および３４に与えられる湾曲部のために、インダクタンス向上の効果も期待できる。
【００５５】
また、リード線２７および３１の各々の中間部３０および３４は、コンデンサ２２の端面２３および２４上において、端子電極２５および２６に接続されるので、ノイズフィルタ２１全体としての低背化を図ることができる。
【００５６】
図４および図５は、それぞれ、この発明の第２および第３の実施形態によるノイズフィルタ５１および６１を示す上面図である。図４および図５において、図１および図２に示した要素に相当する要素には同様の参照符号を付し、重複する説明は省略する。
【００５７】
図４に示したノイズフィルタ５１および図５に示したノイズフィルタ６１は、いずれも、ホット側リード線２７およびアース側リード線３１の各々の中間部３０および３４が、コンデンサ２２の第１および第２の端面２３および２４の各々に近づくように曲げられた形状を有しているだけでなく、さらに、図４に示したノイズフィルタ５１では、中間部３０および３４は、螺旋状に延びる部分５２を有し、図５に示したノイズフィルタ６１では、中間部３０および３４は、ミアンダ構造部分６２を有している。
【００５８】
これらノイズフィルタ５１および６１によれば、リード線２７および３１の長さをより確実に長くすることができるので、インダクタンス向上の効果をより確実に達成することができる。
【図面の簡単な説明】
【００５９】
【図１】この発明の第１の実施形態によるノイズフィルタ２１の外観を示すもので、（ａ）は上面図、（ｂ）は正面図、（ｃ）は右側面図である。
【図２】図１に示したノイズフィルタ２１の内部構造を示す断面図であり、（ａ）は図１（ａ）の線Ａ−Ａに沿う断面図、（ｂ）は同じく線Ｂ−Ｂに沿う断面図、（ｃ）は同じく線Ｃ−Ｃに沿う断面図、（ｄ）は同じく線Ｄ−Ｄに沿う断面図である。
【図３】図１に示したノイズフィルタ２１によって実現される等価回路図である。
【図４】この発明の第２の実施形態によるノイズフィルタ５１を示す上面図である。
【図５】この発明の第３の実施形態によるノイズフィルタ６１を示す上面図である。
【図６】この発明にとって興味ある従来のノイズフィルタ１を示すもので、（ａ）は上面図、（ｂ）は右側面図である。
【符号の説明】
【００６０】
２１，５１，６１  ノイズフィルタ
２２  コンデンサ
２３  第１の端面
２４  第２の端面
２５  第１の端子電極
２６  第２の端子電極
２７  ホット側リード線
２８  第１の脚部またはホット側入力端子
２９  第２の脚部またはホット側出力端子
３０，３４  中間部
３１  アース側リード線
３２  第１の脚部またはアース側入力端子
３３  第２の脚部またはアース側出力端子
３５〜３７  フェライトビーズ
３８  貫通コンデンサ
５２  螺旋状に延びる部分
６２  ミアンダ構造部分
【図１】
2005175880.tif 000003
【図２】
2005175880.tif 000004
【図３】
2005175880.tif 000005
【図４】
2005175880.tif 000006
【図５】
2005175880.tif 000007
【図６】
2005175880.tif 000008